(57)【要約】【課題】所定機能の強度制御に係る基準位置を把握し、より細かな調整を実現する。【解決手段】直線状に隣接する複数の突起部、を有する操作部、を備え、上記突起部は、ユーザ操作により、直線軸に沿った２方向に傾斜が可能なように設けられ、上記突起部の傾斜に基づいて、所定機能の実行に係る強度が決定される、スイッチが提供される。【選択図】図１
2020173915.tif 000002
【特許請求の範囲】
【請求項１】
直線状に隣接する複数の突起部、を有する操作部、
を備え、
前記突起部は、ユーザ操作により、直線軸に沿った２方向に傾斜が可能なように設けられ、
前記突起部の傾斜に基づいて、所定機能の実行に係る強度が決定される、
スイッチ。
【請求項２】
複数の前記突起部は、傾斜の度合いが最も小さい前記突起部が単一となるように設けられ、
傾斜の度合いが最も小さい前記突起部に基づいて、所定機能の実行に係る強度が決定される、
請求項１に記載のスイッチ。
【請求項３】
複数の前記突起部は、自立可能に設けられ、
前記ユーザ操作により傾斜した前記突起部の数に基づいて、所定機能の実行に係る強度が決定される、
請求項１に記載のスイッチ。
【請求項４】
前記突起部の傾斜に基づいて、所定機能の実行に係る強度を制御する制御部、
をさらに備える、
請求項１〜３のいずれかに記載のスイッチ。
【請求項５】
前記突起部の非傾斜方向に向けて光を照射する照射部、
をさらに備える、
請求項１〜４のいずれかに記載のスイッチ。
【請求項６】
前記突起部の底部には、着色が施される、
請求項５に記載のスイッチ。
【発明の詳細な説明】
【技術分野】
【０００１】
本発明は、スイッチに関する。
【背景技術】
【０００２】
近年、様々な形状、機構を有するスイッチが開発されている。上記のようなスイッチには、例えば、ユーザ操作に基づいて所定機能の実行に係る強度を制御するものもある。例えば、特許文献１には、ユーザ操作に基づいてパワーウィンドウの開閉制御に係る強度を決定する機構が記載されている。
【先行技術文献】
【特許文献】
【０００３】
【特許文献１】特開２０１６−２０７４９７号公報
【発明の概要】
【発明が解決しようとする課題】
【０００４】
しかし、特許文献１に記載される機構では、ユーザがパワーウィンドウの開閉制御に係る強度を直感的また詳細に把握することが困難である。
【０００５】
そこで、本発明は、上記問題に鑑みてなされたものであり、本発明の目的とするところは、所定機能の強度制御に係る基準位置を把握し、より細かな調整を実現することが可能な、新規かつ改良されたスイッチを提供することにある。
【課題を解決するための手段】
【０００６】
上記課題を解決するために、本発明のある観点によれば、直線状に隣接する複数の突起部、を有する操作部、を備え、上記突起部は、ユーザ操作により、直線軸に沿った２方向に傾斜が可能なように設けられ、上記突起部の傾斜に基づいて、所定機能の実行に係る強度が決定される、スイッチが提供される。
【０００７】
また、複数の上記突起部は、傾斜の度合いが最も小さい上記突起部が単一となるように設けられ、傾斜の度合いが最も小さい上記突起部に基づいて、所定機能の実行に係る強度が決定されてもよい。
【０００８】
また、複数の上記突起部は、自立可能に設けられ、上記ユーザ操作により傾斜した上記突起部の数に基づいて、所定機能の実行に係る強度が決定されてもよい。
【０００９】
また、上記スイッチは、上記突起部の傾斜に基づいて、所定機能の実行に係る強度を制御する制御部を備えてもよい。
【００１０】
また、上記スイッチは、上記突起部の非傾斜方向に向けて光を照射する照射部を備えてもよい。
【００１１】
また、上記突起部の底部には、着色が施されてもよい。
【発明の効果】
【００１２】
以上説明したように本発明によれば、所定機能の強度制御に係る基準位置を把握し、より細かな調整を実現することが可能となる。
【図面の簡単な説明】
【００１３】
【図１】本発明の一実施形態に係るスイッチ１０の構造について説明するための図である。
【図２】同実施形態に係るスイッチ１０を車両のヘッドライトの制御に用いる場合の一例を示す図である。
【図３】同実施形態に係るスイッチ１０をパワーウィンドウの制御に用いる場合の一例を示す図である。
【図４】同実施形態に係るスイッチ１０の機能構成例を示すブロック図である。
【発明を実施するための形態】
【００１４】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００１５】
＜１．実施形態＞
上述したように、近年においては、様々な形状、機構を有するスイッチが開発されている。上記のようなスイッチには、例えば、特許文献１に記載されるように、所定機能の実行に係る強度を制御するものがある。
【００１６】
例えば、特許文献１に記載されるようなパワーウィンドウの制御を行うスイッチは、一般的に、ユーザが操作する時間に基づいて、パワーウィンドウの開放または閉鎖の度合いを制御している。しかし、このようなスイッチの場合、ユーザは、どの程度の時間スイッチを操作すれば目的の位置までウィンドウを開放または閉鎖できるかを直感的に把握することが困難である。
【００１７】
例えば、ユーザがウィンドウを全閉状態から２／３ほど開放したい場合、当該ユーザは、何秒ほどスイッチを操作すればよいのかを把握することが難しい。このため、ユーザは、ウィンドウの位置を確認しながらスイッチを操作するか、適当にスイッチを操作した後にウィンドウの位置を確認し、その後に微調整を行うことを求められる。
【００１８】
また、スライド式やダイヤル式のスイッチについても同様である。例えば、車両に搭載されるスイッチには、バーをスライドさせたり、ダイヤルを回転させることで、音量、温度、風量などを制御するものがある。
【００１９】
上記のようなスイッチの場合、ユーザは、目的の強度に調整するために、バーの位置やダイヤルの位置を注視する必要がある。
【００２０】
本発明の技術思想は上記の点に着目して発想されたものであり、所定機能の強度制御に係る基準位置を把握し、より細かな調整を実現することを可能とする。
【００２１】
図１は、本実施形態に係るスイッチ１０の構造について説明するための図である。図１に示すように、本実施形態に係るスイッチ１０は、直線状に所定の間隔を空けて隣接する複数の突起部１１５、を有する操作部１１０を備える。
【００２２】
本実施形態に係る複数の突起部１１５は、例えば、プラスチックなどの硬質素材を用いて板状や棒状に形成され、ユーザ操作により、直線軸に沿った２方向に傾斜が可能なように設けられる。
【００２３】
例えば、図１に示す一例の場合、複数の突起部１１５の一部は、図中左側に示すような自立した状態から、図中右側に示すように、突起部１１５の上面をなぞるユーザ操作により、隣接する突起部１１５に倒れこむように図中左方向に傾斜している。
【００２４】
この際、本実施形態に係る制御部１２０（図示しない）は、ユーザ操作に伴う突起部１１５の傾斜に基づいて、所定機能の実行に係る強度を制御してよい。
【００２５】
例えば、本実施形態に係る複数の突起部１１５が、図示するように自立可能に設けられる場合、本実施形態に係る制御部１２０は、ユーザ操作により傾斜した突起部１１５の数（あるいは、自立する突起部１１５の数）に基づいて、所定機能の実行に係る強度を決定してもよい。
【００２６】
例えば、図１に示す一例の場合、１６の突起部１１５のうちの７の突起部１１５がユーザ操作により傾斜している。ここで、所定機能の実行に係る強度が１６段階ある場合、制御部１２０は、下から７番目の強度を設定することが可能である。
【００２７】
一方、本実施形態に係る複数の突起部１１５は、自立不能に設けられてもよい。この場合、本実施形態に係る複数の突起部１１５は、互いに支え合い、単一のピークを有する山状の姿勢を取ることから、傾斜の度合いが最も小さい突起部１１５が単一となる。
【００２８】
この際、本実施形態に係る制御部１２０は、傾斜の度合いが最も小さい突起部１１５に基づいて、所定機能の実行に係る強度を決定してもよい。例えば、１６の突起部１１５のうちユーザの手前から数えて８番目の突起部１１５の傾斜の度合いが最も小さい場合（すなわち、ピークとなる場合）、制御部１２０は、１６段階ある強度のうち、下から８番目の強度を設定することが可能である。
【００２９】
このように、本実施形態に係るスイッチ１０では、突起部１１５の傾斜に基づいて、所定機能の実行に係る強度を決定することができる。上記のような機構によれば、複数の突起部１１５の上面をなぞる際に、ユーザが隣接する突起部１１５に順に触れていく感触を指先で感じることができ、強度制御に係る基準位置を直感的かつ詳細に把握することが可能となる。
【００３０】
なお、上記の基準位置とは、突起部１１５が自立可能な場合には、なぞり操作により最後の接触した突起部１１５であってよい。また、突起部１１５が自立不能な場合には、七なぞり操作により最も傾斜が小さくなった突起部１１５であってよい。
【００３１】
また、本実施形態に係るスイッチ１０では、所定機能の実行に係る基準位置を視覚的に把握ができてもよい。このために、本実施形態に係るスイッチ１０は、突起部１１５の非傾斜方向に向けて光を照射する照射部１３０（図示しない）を備える。また、本実施形態に係る突起部１１５は、照射部１３０が照射する光を透過する程度の透明度を有してよい。
【００３２】
ここで、上記の非傾斜方向とは、突起部１１５が傾斜していない場合の方向を指す。例えば、図１に示す一例のように、突起部１１５が、水平面に対して直立することが可能な場合、非傾斜方向は、垂直方向であってよい。
【００３３】
上記のような構成において、照射部１３０が被傾斜方向に有色光を照射した場合、傾斜角度が非傾斜方向に近い突起部１１５ほど、内部における有色光の反射回数が少なくなり、照射部１３０が照射する有色光に応じた色が強く表れることとなる。
【００３４】
一方、傾斜角度が非傾斜方向から離れる突起部１１５ほど、内部における有色色の反射回数が多くなることから発散の度合いが強くなり、図１の右側に示すように、色が薄く反映される。
【００３５】
上記のような機構によれば、所定機能の実行に係る基準位置の変化に追随して操作部１１０の配色が変化することから、視覚的にも基準位置をより直感的に把握することが可能となる。
【００３６】
なお、本実施形態に係る照射部１３０が照射する光は有色光に限定されない。本実施形態に係る照射部１３０は、白色光を照射してもよい。この場合、突起部１１５の底部には、着色が施されてよい。係る加工によれば、照射部１３０が有色光を照射する場合と同様に、操作部１１０の配色を基準位置の変化に追随させることができる。
【００３７】
また、突起部１１５の底部に着色を施した上で、照射部１３０が着色に用いる色とは異なる有色光を照射する場合、突起部１１５の傾斜角度に応じて２つの色のグラデーションを表現することも可能である。
【００３８】
以上、本実施形態に係るスイッチ１０の機構について説明した。本実施形態に係るスイッチ１０によれば、所定機能の強度制御に係る基準位置を把握し、より細かな調整を実現することが可能となる。
【００３９】
続いて、本実施形態に係るスイッチ１０の適用例について説明する。図２は、本実施形態に係るスイッチ１０を車両のヘッドライトの制御に用いる場合の一例を示す図である。この場合、ユーザは、操作部１１０を親指などでなぞることで、ヘッドライトのモードや各モードにおける照射強度を変化させることができてよい。
【００４０】
このように、本実施形態に係るスイッチ１０は、所定機能の強度のみではなく、所定機能のモードや、所定機能の切り替えなどにも用いることが可能である。
【００４１】
また、図３は、本実施形態に係るスイッチ１０をパワーウィンドウの制御に用いる場合の一例を示す図である。この場合、ユーザは、操作部１１０を人差し指などでなぞることで、パワーウィンドウの開閉位置を直感的かつ詳細に定めることができる。
【００４２】
また、図示するように、本実施形態に係るスイッチ１０は、複数の操作部１１０を備えてもよい。図３に示す一例の場合、スイッチ１０は、４つの操作部１１０ａ〜１１０ｄを備えている。操作部１１０ａ〜１１０ｄは、それぞれ車両前方左側、車両前方右側、車両後方左側、車両後方右側のパワーウィンドウを制御するための機構であってよい。
【００４３】
以上、本実施形態に係るスイッチの適用について具体例を挙げて説明した。なお、本実施形態に係るスイッチの適用は、上記のような車両に搭載されるスイッチに限定されず、本実施形態に係るスイッチ１０は、所定機能の実行に係る強度を調整するための種々の用途に用いることが可能である。
【００４４】
次に、本実施形態に係るスイッチ１０の機能構成について説明する。図４は、本実施形態に係るスイッチ１０の機能構成例を示すブロック図である。図４に示すように、本実施形態に係るスイッチ１０は、突起部１１５を有する操作部１１０、制御部１２０、および照射部１３０を備える。ここでは、制御部１２０および照射部１３０について説明を補足する。
【００４５】
（制御部１２０）
上述したように、本実施形態に係る制御部１２０は、突起部１１５の傾斜に基づいて、所定機能の実行に係る強度を制御する機能を有する。本実施形態に係る制御部１２０は、例えば、回転センサなどにより検出した突起部１１５の傾斜角度に基づいて、所定機能の実行に係る基準位置を決定し、当該基準位置に応じた強度で所定機能を実行させる。
【００４６】
例えば、突起部１１５が自立可能に設けられる場合、制御部１２０は、非傾斜方向とは異なる傾斜角度を示す突起部１１５の数（あるいは非傾斜方向と同一の傾斜角度を示す突起部１１５の数）に基づいて強度を決定してよい。
【００４７】
また、突起部１１５が自立不能に設けられる場合、制御部１２０は、最も小さい傾斜角度が検出された突起部１１５に基づいて強度を決定してよい。なお、突起部１１５が自立不能に設けられる場合、ある突起部１１５の傾斜角度が検出できれば、突起部１１５の形状や配置の特性に基づいて、他の突起部１１５の傾斜角度を算出することも可能である。このため、単一の角度センサを用いて基準位置を決定することができ、スイッチ１０のコストを低減することもできる。
【００４８】
本実施形態に係る制御部１２０は、例えば１つまたは２つ以上のプロセッサにより実現される。プロセッサとしては、例えば、ＣＰＵ（Ｃｅｎｔｒａｌ  Ｐｒｏｃｅｓｓｉｎｇ  Ｕｎｉｔ）や、ＭＣＵ（Ｍｉｃｒｏ  Ｃｏｎｔｒｏｌｌｅｒ  Ｕｎｉｔ）などが挙げられる。
【００４９】
（照射部１３０）
上述したように、本実施形態に係る照射部１３０は、突起部１１５の非傾斜方向に向けて光を照射する構成である。このために、本実施形態に係る照射部１３０は、有色光を照射可能なＬＥＤなどの照明を備える。また、上述したように、突起部１１５の底部に着色を施す場合には、照射部１３０は、白色光を照射可能な照明を備えてよい。
【００５０】
また、突起部１１５の底部に着色を施す場合において、着色に用いる色とは異なる有色光を照射する照明を用いる場合、単一の照明を用いてグラデーションを表現することができ、照明のコストを低減することができる。
【００５１】
＜２．まとめ＞
以上説明したように、本発明の一実施形態に係るスイッチ１０は、直線状に隣接する複数の突起部１１５、を有する操作部１１０、を備える。突起部１１５は、ユーザ操作により、直線軸に沿った２方向に傾斜が可能なように設けられ、また、突起部１１５の傾斜に基づいて、所定機能の実行に係る強度が決定される。係る構成によれば、所定機能の強度制御に係る基準位置を把握し、より細かな調整を実現することが可能となる。
【００５２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００５３】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００５４】
また、コンピュータに内蔵されるＣＰＵ、ＲＯＭおよびＲＡＭなどのハードウェアに、制御部１２０が有する構成と同等の機能を発揮させるためのプログラムも作成可能であり、当該プログラムを記録した、コンピュータに読み取り可能な非一過性の記録媒体も提供され得る。
【符号の説明】
【００５５】
１０      スイッチ、  １１０    操作部、  １１５    突起部、  １２０    制御部、  １３０    照射部
【図１】
2020173915.tif 000003
【図２】
2020173915.tif 000004
【図３】
2020173915.tif 000005
【図４】
2020173915.tif 000006